(57)【要約】【課題】機器へのタンク１１の装着を機器上部に持ち上げてしなくても装着できるようにして、使い勝手の向上を図ることを目的とするものである。【解決手段】タンク収納部２７の上面と側面または背面または前面の何れか２面以上に開放部２８を有する構成とし、油受け皿２１にタンク１１を装着するとき、略水平方向から装着できるようにするとともに、前記タンク１１は上面に第１取っ手２４を配設し、前記開放部２８に対応するタンク側面に第２取っ手２５を配設した構成としている。【選択図】  図１
2004286341.tif 000002
【特許請求の範囲】
【請求項１】
機器本体と、燃料を一時的に保有する油受け皿と、油受け皿に着脱自在に設け該油受け皿に燃料を供給する略直方体のタンクと、前記タンクの長手方向の１端面の適所に設けた給油口と、前記タンクを収納するタンク収納部とを備え、前記タンク収納部は上面と側面または背面または前面の何れか２面以上に開放部を有する構成とし、油受け皿にタンクを装着するとき、略水平方向から装着できるようにするとともに、前記タンクは上面に第１取っ手を配設し、前記開放部に対応するタンク側面に第２取っ手を配設した石油燃焼暖房機。
【請求項２】
第２取っ手は、タンクの長手方向のほぼ中間に位置させ、持ち手方向がタンクの長手方向と並行になるように配設した請求項１記載の石油燃焼暖房機。
【請求項３】
第１取っ手と第２取っ手の持ち手方向が直交するように配設した請求項１または２記載の石油燃焼暖房機。
【請求項４】
第２取っ手を設けた面の内側に長手方向と直交するように仕切板を設け、前記仕切板は第２取っ手の下部に１枚設けるか、あるいはタンク内の適所に複数枚配設してなる請求項１〜３のいずれか１項記載の石油燃焼暖房機。
【請求項５】
仕切板はタンク収納部にセットしたとき、タンク内の燃料が下方に流れるように傾斜させてなる請求項４記載の石油燃焼暖房機。
【請求項６】
第２取っ手の中心はタンクの重心より給油口側へ近づけて位置させてなる請求項１〜５のいずれか１項記載の石油燃焼暖房機。
【請求項７】
第２取っ手の持ち手部は、給油口が上に傾くように、タンクと傾斜させてなる請求項１〜６のいずれか１項記載の石油燃焼暖房機。
【請求項８】
タンクの油量を確認する油量窓を開放部に配設してなる請求項１〜７のいずれか１項記載の石油燃焼暖房機。
【請求項９】
第２取っ手はタンクの油量を確認する油量窓のある面に配設してなる請求項１〜８のいずれか１項記載の石油燃焼暖房機。
【請求項１０】
油受け皿にタンクを装着したときに、タンク収納部の開放部と異なる壁部の適所に磁石を配設してなる請求項１〜９のいずれか１項記載の石油燃焼暖房機。
【請求項１１】
油受け皿にタンクを装着したときに、タンクが機器本体のタンク収納部の開放部と異なる方向に傾いて保持されるように傾斜保持手段を配設してなる請求項１〜１０のいずれか１項記載の石油燃焼暖房機。
【発明の詳細な説明】
【０００１】
【発明の属する技術分野】
本発明は、石油燃焼機におけるカートリッジタンクの着脱構成に関するものである。
【０００２】
【従来の技術】
従来の構成を燃焼暖房機のタンクを用いて、図１０、図１１、図１２により説明する。図に示すように、タンク本体１の適所に燃料を供給する給油口２を設け、この給油口２に弁機構３を有する給油キャップ４を取り付け、給油口２の端面２ａを給油キャップ４に設けたシール面３ｃでシールすることにより、前記弁機構３を介して給油口２の開放状態と閉塞状態を保つように構成としている。そして、機器５のタンク収納部６にセットするときは、給油口２を下向きにして油受け皿７に載置することで、油受け皿７内に設けた弁押上ピン８により弁体３ｂが押し上げられ、弁機構３が強制的に開放されてタンク本体１内の燃料が油受け皿７に供給され、油受け皿７内の油面が弁機構３の吐出口９に達するとタンク本体１からの燃料の供給が停止する。そして、油受け皿７内の燃料が消費され油面が低下すると、再度タンク本体１からの燃料の供給が開始される。この繰り返しによりタンク本体１から油受け皿７への燃料の供給が行われる。
【０００３】
次に、タンク本体１の燃料が消費され補給が必要となった場合は、機器５からタンク本体１を取り出すことで、弁押上ピン８が弁機構３から離れ、弁機構３は内蔵バネ３ａにより弁体３ｂを吐出口９に密着させることで閉塞状態となりタンク本体１からの燃料の流出を防止する。この状態でタンク本体１を反転させ、給油キャップ４を上向きにして給油キャップ４をゆるめ、給油口２から取り外す。そして、給油口２から燃料を補給したのち、給油キャップ４を給油口２に取り付け、再度機器５に逆転装着することで、油受け皿７への供給が開始されるものである。
【０００４】
この機器５へのタンクの装着はつまり、機器のタンク収納部６にタンクを装着するときは、タンクを機器上部まで持ち上げ、タンク収納部６の上方から装着するようになっている。そして、タンクの持ち運び時は取っ手１０を持って運ぶようになっている（例えば、特許文献１参照）。
【０００５】
【特許文献１】
特開２０００−３３７６２８号公報（第２頁、第８図〜１１図）
【０００６】
【発明が解決しようとする課題】
しかしながら従来の構成においては、給油したあとの燃料が満量となったタンク１を機器に装着するときは、タンク１の重量は大変重くなっていて、使用者の給油の際のもっとも大きな負荷となっている。
【０００７】
特に近年、タンク１は給油回数を減らして給油の手間を省くため、どんどん大容量化されてきており、例えば９リットルのタンク１であれば、タンク１自身の重量が約２ｋｇ、９リットルの燃料が約７．２ｋｇとなり合わせて約９．６ｋｇとなり、さらに燃料をタンク１に給油口すれすれまで入れたとすると、燃料は８ｋｇを超え、燃料とタンク１を合わせた重量が１０ｋｇを超えてしまい、該機器５のタンク１を除いた重量と同等あるいはそれ以上となり、また、タンク１の容量は９．５リットルと９リットルを超えるものもでてきている。また、機器５も設置の省スペース化の観点から、そのフォルムも横長のものより縦長のものが増え、さらに高さの高いものもあり、機器５のタンク収納部６にタンク１を機器５より上部へ持ち上げて装着する作業が大変となっている。
【０００８】
この機器５へのタンク１の装着は、姿勢的にもタンク１を機器５のタンク収納部６の上方へ、体から離して持ち上げなければならなく、負担が大きく、特に上背の低い方や力の弱い人、例えばお年寄りや女性等では困難であった。特に、タンク１に燃料を満量まで入れると、タンク１を機器５上部まで持ち上げられない、あるいは負担が大きいので、燃料をタンク１の途中までしか入れて使わない使用者もあり、それに加え、暖房機は冬場に用いるものであるから、無理な姿勢で重いものを持つと腰痛を引き起こすなど、タンク１の大容量化にともなう課題を生じていた。
【０００９】
本発明は上記問題点に鑑みてなしたもので、機器５へのタンク１の装着を機器５上部まで持ち上げなくても装着できるようにして、使用者の使い勝手の向上を図ることを目的としたものである。
【００１０】
【課題を解決するための手段】
本発明は上記課題を解決するため、機器本体と、燃料を一時的に保有する油受け皿と、油受け皿に着脱自在に設け該油受け皿に燃料を供給する略直方体のタンクと、前記タンクの長手方向の１端面の適所に設けた給油口と、前記タンクを収納するタンク収納部とを備え、前記タンク収納部は上面と側面または背面または前面の何れか２面以上に開放部を有する構成とし、油受け皿にタンクを装着するとき、略水平方向から装着できるようにするとともに、前記タンクは上面に第１取っ手を配設し、前記開放部に対応するタンク側面に第２取っ手を配設した構成としている。
【００１１】
上記発明によれば、タンク収納部に上面と側面または背面または前面の何れか２面以上に開放部を有する構成としてあるので、油受け皿にタンクを装着するとき、タンクを略水平方向から装着できるようになり、タンクを持ち上げずに容易に着脱可能となり、使い勝手が向上する。
【００１２】
また、タンクに燃料を満量入れても持ち上げずに装着することができ、さらに、使用者は無理な姿勢で重量物のタンクを持ち上げなくてもよくなり、腰痛等の心配もなくなる。
【００１３】
また、タンク収納部に油受け皿上部近傍から開閉するトビラを設けると、タンクを持ち上げるとき使用者はタンク上方から持つため、機器本体の上面側と側面側あるいは背面側にトビラを追加しないと使い勝手が悪くなるので、機器本体の上面に開放部を追加すると扉が２つ以上となり、タンクの着脱がツーアクションとなり使い勝手が悪くなるとともに構成が複雑になる。しかしながら、機器本体のタンク収納部の開放部は、機器本体の上面と側面あるいは背面あるいは前面の何れか２面以上を有する構成としてあるので、ワンアクションで油受け皿にタンクを着脱することができるようになり、使い勝手が増すようになり、トビラを設けてないのでタンクの着脱にトビラがじゃまになることもなく使い勝手がさらに増すようになる。
【００１４】
さらに、タンク収納部に油受け皿上部近傍から開閉する開放部を配設してあるので、油やほりなどで汚れた油受け皿の上面を容易に掃除することができ、また、シーズン終わりなどに燃料の油受け皿からの抜き取りも容易になる。
【００１５】
そしてまた、タンクの上面に第１取っ手を配設するともにタンクの上記開放部に面する開放面側のタンク側面に第２取っ手を配設してあるので、持ち運び時には第２取っ手を持って運べるようになり、タンクの重心を使用者の身体の中心に近づけて片手で持てるようになる。つまり、使用者の身体の中心とタンクの重心が近いので使用者はタンクを軽く持てるようになり、また、タンクが長くてもそれを横にして持てるので、床との距離が大きく取れ、タンクを持ち上げて持つ可能性もなくなる。
【００１６】
また、タンクに給油する際のタンクを置く場合に、あるいは機器にタンクをセットする際の、タンクの反転動作を、第２取っ手を持ってできるようになり、反転動作が容易にできるようになり、使い勝手が向上する。
【００１７】
【発明の実施の形態】
本発明の請求項１の石油燃焼暖房機は、機器本体と、燃料を一時的に保有する油受け皿と、油受け皿に着脱自在に設け該油受け皿に燃料を供給する略直方体のタンクと、前記タンクの長手方向の１端面の適所に設けた給油口と、前記タンクを収納するタンク収納部とを備え、前記タンク収納部は上面と側面または背面または前面の何れか２面以上に開放部を有する構成とし、油受け皿にタンクを装着するとき、略水平方向から装着できるようにするとともに、前記タンクは上面に第１取っ手を配設し、前記開放部に対応するタンク側面に第２取っ手を配設した構成としている。
【００１８】
そして、タンク収納部に上面と側面または背面または前面の何れか２面以上に開放部を有する構成としてあるので、油受け皿にタンクを装着するとき、タンクを略水平方向から装着できるようになり、タンクを持ち上げずに容易に着脱可能となり、使い勝手が向上する。
【００１９】
また、請求項２の石油燃焼暖房機は、第２取っ手は、タンクの長手方向のほぼ中間に位置させ、持ち手方向がタンクの長手方向と並行になるように配設してある。
【００２０】
そして、第２取っ手を持って持ち運びする際に、タンクの傾きが規制できるようになり、タンクが大きく傾いて、第２取っ手とタンクで手が挟まれたり、また、タンクの下端が床に近くなって持ちにくくなるなどの心配が無くなる。
【００２１】
また、請求項３の石油燃焼暖房機は、第１取っ手と第２取っ手の持ち手方向が直交するように配設した構成としてある。
【００２２】
そして、第１取っ手と第２取っ手の持ち手方向が直交するように配設してあるので、タンクを置く場合や機器にタンクをセットする際のタンクの反転動作時に、持ち手方向が直交して手を返しやすくなり、反転動作が容易にできるようになる。
【００２３】
また、請求項４の石油燃焼暖房機は、第２取っ手を上面に位置させたときにタンク内の上空間を長手方向と直交するように仕切る仕切板を第２取っ手の下部に１枚あるいはタンク内の適所に複数枚配設した構成としてある。
【００２４】
そして、第２取っ手を上面に位置させたときにタンク内の上空間を長手方向と直交するように仕切る仕切板を第２取っ手の下部に１枚あるいはタンク内の適所に複数枚配設してあるので、持ち運び時のタンク内上部の空間部が仕切板で仕切られ、空間部の移動が規制されるようになる。
【００２５】
つまり、タンク内に液体燃料と空気層を有すると、持ち運び時に、タンクの僅かな傾きでタンク内上部の空間部が移動してしまい、タンク内の液体燃料の重心が動くことによって持ちにくくなるが、タンク内上部の空間部が仕切板で仕切られ、空間部の移動が規制されて、重心部の移動が少なくなり、空間部の移動による持ちにくさが軽減される。これは、仕切る空間の数が多ければ多いほど良く、また、仕切る仕切板の高さは、空間が多く仕切板で仕切られない液体燃料の重心移動があっても、空間が増える分タンクが軽くなって、持ちにくさにあまり支障できないレベルであれば良い。
【００２６】
また、請求項５の石油燃焼暖房機は、仕切板は給油口を下に向け機器にセットしたときにタンク内の燃料が下方に流れるように傾斜させる構成としてある。
【００２７】
そして、仕切板は給油口を下にしたときにタンク内の燃料が下方に流れるように傾斜させてあるので、機器に僅かに傾けてタンクをセットした状態で液体燃料がスムーズに下方に流れ、タンクの液体燃料を使い切ることができるようになる。
【００２８】
また、請求項６の石油燃焼暖房機は、第２取っ手の中心はタンクの重心より給油口側へ近づけて位置させる構成としてある。
【００２９】
そして、上記第２取っ手はタンクの重心より給油口側に近づけて位置させてあるので、持ち運び時にタンクの重心は、第１取っ手に近づいた状態となり、給油口側が反対の第１取っ手側より上になりやすくなり、上記の空間部の移動が規制されて、重心部の移動が少なくなり、簡単な構成で空間部の移動による持ちにくさの軽減の効果が得られる。
【００３０】
また、給油口側が反対の第１取っ手側より上になるので、持ち運び時に給油口を傷つけにくくなるとともに、給油口部より液体燃料が僅かに漏れた場合においても、そのまま床等に落ちて汚すこともなくなる。
【００３１】
また、請求項７の石油燃焼暖房機は、第２取っ手の持ち手部は、給油口が上に傾くように、タンクと傾斜させる構成としてある。
【００３２】
そして、上記第２取っ手の持ち手部は、給油口が上に傾くように、タンクと傾斜させてあるので、請求項６と同様の給油口側が反対の第１取っ手側より上にする効果が得られるとともに、請求項６と組み合わすことで確実性が増す。
【００３３】
また、請求項８の石油燃焼暖房機は、タンクの油量を確認する油量窓は上記開放部に配設した構成としてある。
【００３４】
そして、タンクの油量を確認する油量窓は上記開放部に配設してあるので、タンクの油量が外から見て一目でわかるようになり、使用者が給油時を判断しやすくなり、使い勝手が増すようになる。
【００３５】
また、請求項９の石油燃焼暖房機は、上記第２取っ手はタンクの油量を確認する油量窓のある面に配設した構成としてある。
【００３６】
そして、上記第２取っ手はタンクの油量を確認する油量窓のある面に配設してあるので、タンクに給油する際のタンクを置く場合に、必ずタンクの油量窓の方向が使用者側となり、油量確認をしながら給油することが自然と出来、使い勝手が増すとともに、液体燃料を給油後のタンクの持ち運び時には、重量が重く曲がり角の周囲の壁などと接触して給油口を傷つけやすいが、給油口側が使用者の前方向となり、使用者が注意しやすくなり、給油口を自然と傷つけにくくなる。
【００３７】
また、請求項１０の石油燃焼暖房機は、油受け皿にタンクを装着したときに、タンク収納部の開放部と異なる壁部の適所に磁石を配設した構成としてある。
【００３８】
そして、タンク収納部の開放部と異なる壁部の適所に磁石を配設してあるので、油受け皿にタンクを装着したときに、タンクが機器本体のタンク収納部の開放部と異なる方向に磁力で保持されるようになり、簡単な構成で、タンクが振動など何らかの理由で開放部側に倒れる心配がなくなり、不用意に開放部が開いてタンクがタンク収納部から離脱する心配もなくなり安全性が増すようになるとともに、固定手段を離脱する必要がなくタンクの着脱も容易となる。
【００３９】
また、請求項１１の石油燃焼暖房機は、油受け皿にタンクを装着したときに、タンクが機器本体のタンク収納部の開放部と異なる方向に傾いて保持されるように傾斜保持手段を配設した構成としてある。
【００４０】
そして、請求項１０の効果を他の方法で実現するもので、傾斜保持手段を配設した構成としてあるので、油受け皿にタンクを装着したときに、タンクが機器本体のタンク収納部の開放部と異なる方向に傾いて保持されるようになり、タンクが振動など何らかの理由で開放部側に倒れる心配がなくなり、不用意に開放部が開いてタンクがタンク収納部から離脱する心配もなくなり安全性が増すようになるとともに、タンクの着脱時に固定手段を離脱する必要がなくタンクの着脱も容易となる。
【００４１】
【実施例】
以下本発明の一実施例について、石油燃焼暖房機のタンクを用いて説明する。
【００４２】
（実施例１）
図１は本発明の実施例のタンクの機器への着脱状態を示す斜視図、図２はタンクの構成図、図３は給油キャップの要部断面図、図４はタンクの機器への設置状態を示す要部断面図、図５は持ち運び時の形態を示す図、図６はカートリッジ式給油タンクの給油時の形態を示す図である。
【００４３】
図において、１１は燃料を蓄えておく略直方体のタンク、１２はタンク１１の燃料の量を確認するための油量窓、１３はタンク１１の長手方向の１端面の適所に設けたタンク１１へ燃料の補給と流出を行う給油口、１３ａはこの給油口１３の外周部にもうけたネジ部、１４は給油口１３に着脱自在に設けた給油キャップで、給油キャップ１４の内面に設けたネジ部１４ａと給油口１３のネジ部１３ａとが噛み合うようになっている。
【００４４】
１５は給油キャップ１４内に一体化して設け複数個の貫通孔１５ａを有する弁筒で、内部に弁機構１６を設けている。弁機構１６は給油キャップ１４と弁筒１５間に内装してあり、弁体１７と弁座１８およびバネ１９で構成し、給油キャップ１４の吐出口２０の開閉を行う。２１は石油燃焼器のバーナへ燃料を供給するために一時蓄えておくための油受け皿、２２は油受け皿２１の上部開口に取り付けた受け口であり、該受け口２２には弁押し上げピン２３が突起して形成してある。
【００４５】
２４は給油口１３の反対側のタンク１１の長手方向の１端面の適所に設けた第１取っ手で、この第１取っ手２４と給油口１３のほぼ中間に位置し、油量窓１２のあるタンク１１側面の適所にタンク１１の長手方向と並行になるように第２取っ手２５を配設してあり、第１取っ手２４と第２取っ手２５の持ち手方向が直交するようにしてある。
【００４６】
２６は、第２取っ手２５を上面に位置させたときにタンク１１内の上空間を長手方向と直交するように仕切る仕切板で、第２取っ手２５の下部にタンク１１内の適所に複数枚配設するとともに、上記仕切板２６は給油口１３を下に向け該機器にセットしたときにタンク１１内の燃料が下方に流れるように傾斜させてある。
【００４７】
そして、油受け皿２１は機器本体の下部に配設してあり、通常は着脱自在に設けたタンク１１を載置して、該油受け皿２１に燃料を供給するようにしてあり、機器本体の油受け皿２１上部にはタンク１１を収納するタンク収納部２７が配設してあり、このタンク収納部２７には油受け皿２１にタンク１１を装着するときにタンク１１を略水平方向に装着出来るようタンク収納部２７に油受け皿２１上部近傍から開放部２８を配設してある。
【００４８】
この開放部２８は、機器本体の上面と側面と背面の３面を開放する構成とするとともに、油受け皿２１にタンク１１を装着したときに、機器本体の上面すなわちタンク１１の上面に第１取っ手を配設するともにタンク１１の上記開放部２８に面する機器本体の側面に位置する開放面側のタンク１１側面に第２取っ手を配設し、かつ、タンク１１の油量を確認する油量窓１２を設けてある。
【００４９】
上記構成において、その動作を説明すると、まず、タンク１１を給油キャップ１４を下向きにして油受け皿２１の受け口２２に装着すると、弁押し上げピン２３が弁体１７をバネ１９に抗して押し上げ、弁座１８による給油キャップ１４の吐出口２０の閉塞状態が解除される。これにより、タンク１１の燃料は受け口２２を介して油受け皿２１内に供給され、給油キャップ１４の吐出口２０の油面高さまで蓄えられる。そして、バーナで消費され油受け皿２１内の油面が低下すると、吐出口２０よりタンク１１内に空気が入り、この空気の置換作用でタンク１１の燃料は油受け皿２１内に供給される。この繰り返しにより油受け皿２１内の油面は一定油面を保持する。そして、タンク１１内の燃料が給油キャップ１４の端部つまり吐出口２０まで減少してくると、弁筒１５の外周部に設けた複数の貫通孔１５ａより燃料の供給は継続され、タンク１１内の燃料はほとんど使いきることになる。
【００５０】
次に、タンク１１の燃料が空になると、タンク１１を受け口２２から取り外す。このとき、弁機構１６は弁押し上げピン２３で弁体１７を押し上げていた動作が解除されるため、弁体１７はバネ１９により元の状態に戻り、弁座１８を介して吐出口２０を閉塞状態に保つ。そして、タンク１１を給油場所まで運び、給油キャップ１４を取り外してサイフォンポンプなどで給油を行う。
【００５１】
ここで、タンク収納部２７に油受け皿上部近傍から開放部２８を配設するとともに、上記開放部２８は、機器本体の上面と側面と背面の３面を有するようにあるので、油受け皿にタンク１１を装着するときにタンク１１を略水平方向に装着出来るようになり、タンク１１を持ち上げずに使用者は着脱が容易にすることができ、使い勝手が増すようになる。
【００５２】
また、タンク１１に燃料を満量入れても持ち上げずに装着することができ、さらに、使用者は無理な姿勢で重量物のタンク１１を持ち上げなくてもよくなり、腰痛等の心配もなくなる。
【００５３】
さらに、タンク収納部２７に油受け皿２１上部近傍から開閉するトビラを設けると、タンク１１を持ち上げるとき使用者はタンク１１上方から持つため、機器本体の上面側と側面側あるいは背面側にトビラを追加しないと使い勝手が悪くなるので、機器本体の上面に開放部２８を追加すると扉が２つ以上となり、タンク１１の着脱がツーアクションとなり使い勝手が悪くなるとともに構成が複雑になる。しかしながら、機器本体のタンク収納部２７の開放部２８は、機器本体の上面と側面と背面の３面を有する構成としてあるので、ワンアクションで油受け皿２１にタンク１１を着脱することができるようになり、使い勝手が増すようになり、トビラを設けてないのでタンク１１の着脱にトビラがじゃまになることもなく使い勝手がさらに増すようになる。
【００５４】
さらに、タンク収納部２７に油受け皿２１上部近傍から開閉する開放部２８を配設してあるので、油やほりなどで汚れた油受け皿２１の上面を容易に掃除することができ、また、シーズン終わりなどに燃料の油受け皿２１からの抜き取りも容易になる。
【００５５】
そしてまた、タンク１１の上面に第１取っ手を配設するともにタンク１１の上記開放部２８に面する開放面側のタンク１１側面に第２取っ手２５を配設してあるので、持ち運び時には第２取っ手２５を持って運べるようになり、タンク１１の重心を使用者の身体の中心に近づけて片手で持てるようになる。つまり、使用者の身体の中心とタンク１１の重心が近いので使用者はタンク１１を軽く持てる様なり、また、タンク１１が長くてもそれを横にして持てるので、床との距離が大きく取れ、タンク１１を持ち上げて持つ可能性もなくなる。
【００５６】
さらに、タンク１１に給油する際のタンク１１を置く場合に、あるいは機器にタンク１１をセットする際の、タンク１１の反転動作を、第２取っ手２５を持って出来るようになり、反転動作が容易に出来るようになり、使い勝手が増す。
【００５７】
そして、第２取っ手２５は、タンク１１の長手方向のほぼ中間に位置させ、かつ、持ち手方向がタンク１１の長手方向と並行になるように配設してあるので、第２取っ手２５を持って持ち運びする際に、タンク１１の傾きが規制出来るようになり、タンク１１が大きく傾いて、第２取っ手２５とタンク１１で手が挟まれたり、また、タンク１１の下端が床に近くなって持ちにくくなるなどの心配が無くなる。
【００５８】
また、第１取っ手２４と第２取っ手２５の持ち手方向が直交するように配設してあるので、第１取っ手２４と第２取っ手２５を両方持つタンク１１に給油する際のタンク１１を置く場合に、あるいは機器にタンク１１をセットする際の、タンク１１の反転動作時に、持ち手方向が直交して手を返しやすくなり、反転動作が容易に出来るようになる。
【００５９】
さらに、第２取っ手２５を上面に位置させたときにタンク１１内の上空間を長手方向と直交するように仕切る仕切板２６を第２取っ手２５の下部に１枚あるいはタンク１１内の適所に複数枚配設してあるので、持ち運び時のタンク１１内上部の空間部が仕切板２６で仕切られ、空間部の移動が規制されるようになる。
【００６０】
つまり、タンク１１内に液体燃料と空気層を有すると、持ち運び時に、タンク１１の僅かな傾きでタンク１１内上部の空間部が移動してしまい、タンク１１内の液体燃料の重心が動くことによって持ちにくくなるが、タンク１１内上部の空間部が仕切板２６で仕切られ、空間部の移動が規制されるので、図５の（ａ）、（ｂ）、（ｃ）にシメすように、重心部の移動が少なくなり、空間部の移動による持ちにくさが軽減される。これは、仕切る空間の数が多ければ多いほど良く、また、仕切る仕切板２６の高さは、空間が多く仕切板２６で仕切られない液体燃料の重心移動があっても、空間が増える分タンク１１が軽くなって、持ちにくさにあまり支障できないレベルであれば良い。
【００６１】
そしてまた、仕切板２６は給油口を下にしたときにタンク１１内の燃料が下方に流れるように傾斜させてあるので、機器に僅かに傾けてタンク１１をセットした状態で液体燃料がスムーズに下方に流れ、タンク１１の液体燃料を使い切ることが出来るようになる。
【００６２】
さらに、タンク１１の油量を確認する油量窓は上記開放部２８に配設してあるので、タンク１１の油量が外から見て一目でわかるようになり、使用者が給油時を判断しやすくなり、使い勝手が増すようになる。
【００６３】
そして、上記第２取っ手２５はタンク１１の油量を確認する油量窓のある面に配設してあるので、タンク１１に給油する際のタンク１１を置く場合に、必ずタンク１１の油量窓の方向が使用者側となり、油量確認をしながら給油することが自然と出来、使い勝手が増すとともに、液体燃料を給油後のタンク１１の持ち運び時には、重量が重く曲がり角の周囲の壁などと接触して給油口を傷つけやすいが、給油口側が使用者の前方向となり、使用者が注意しやすくなり、給油口を自然と傷つけにくくなる。
【００６４】
（実施例２）
図７は本発明の実施例２のタンクの構成図である。実施例１で述べた部分と同じ部分は同一番号を付記して説明を省略し、異なる部分のみを説明する。
【００６５】
図７において、上記第２取っ手３３の中心はタンク３１の重心より給油口３４側へ近づけて位置させかつ、第２取っ手３３の持ち手部は、給油口３４が上に傾くように、タンク３１と傾斜させた構成としてある。
【００６６】
上記構成において、上記第２取っ手３３の中心はタンク３１の重心より給油口３４側へ近づけて位置させかつ、第２取っ手３３の持ち手部は、給油口３４が上に傾くように、タンク３１と傾斜させてあるので、持ち運び時にタンク３１の重心は、第１取っ手３２に近づいた状態となり、給油口３４側が反対の第１取っ手３２側より上になりやすくなり、上記の空間部の移動が規制されて、重心部の移動が少なくなり、簡単な構成で実施例１の空間部の移動による持ちにくさが軽減の効果が得られる。
【００６７】
また、給油口３４側が反対の第１取っ手３２側より上になるので、持ち運び時に給油口３４を傷つけにくくなるとともに、給油口３４部より液体燃料が僅かに漏れた場合においても、そのまま床等に落ちて汚すこともなくなる。
【００６８】
さらに、実施例１に示すような仕切板２６が必要となくなるので構成も簡単となり、安価に使い勝手を増すことが出来るようになる。
【００６９】
（実施例３）
図８は本発明の実施例３の機器への設置状態を示す要部断面図である。実施例１で述べた部分と同じ部分は同一番号を付記して説明を省略し、異なる部分のみを説明する。
【００７０】
図８において、タンク収納部４１の開放部４２と異なる壁には、油受け皿４３にタンク４４を装着したときに、タンク４４を機器本体のタンク収納部４１の開放部４２と異なる壁に保持されるように固定手段の磁石４５を配設してある。
【００７１】
上記構成において、タンク収納部４１の開放部４５と異なる壁部の適所に磁石を配設してあるので、油受け皿４３にタンク４４を装着したときに、タンク４４が機器本体のタンク収納部４１の開放部４２と異なる方向に磁力で保持されるようになり、簡単な構成で、タンク４４が振動など何らかの理由で開放部４２側に倒れる心配がなくなり、不用意に開放部４２が開いてタンク４４がタンク収納部４１から離脱する心配もなくなり安全性が増すようになるとともに、固定手段を離脱する必要がなくタンク４４の着脱も容易となる。
【００７２】
（実施例４）
図９は本発明の実施例４の機器への設置状態を示す要部断面図である。実施例１で述べた部分と同じ部分は同一番号を付記して説明を省略し、異なる部分のみを説明する。
【００７３】
図９において、油受け皿５１にタンク５２を装着したときに、タンク５２が機器本体のタンク収納部５３の開放部５４と異なる方向に傾いて保持されるように開放部５４側の油受け皿５１の上面に突起部５１ａを配設した構成としてある。
【００７４】
上記した構成において、実施例３の効果を他の方法で実現するもので、傾斜保持手段である開放部５４側の油受け皿５１の上面に突起部５１ａを配設した構成としてあるので、油受け皿５１にタンク５２を装着したときに、タンク５２が機器本体のタンク収納部５３の開放部５４と異なる方向に傾いて保持されるようになり、タンク５２が振動など何らかの理由で開放部５４側に倒れる心配がなくなり、不用意に開放部５４が開いてタンク５２がタンク収納部５３から離脱する心配もなくなり安全性が増すようになるとともに、タンク５２の着脱時に固定手段を離脱する必要がなくタンク５２の着脱も容易となる。
【００７５】
なお上記実施例は、第１取っ手２４と第２取っ手２５の持ち手方向を直交させる構成と、タンク１１内の上空間を長手方向と直交するように仕切る仕切板２６を配設する構成と、仕切板２６を傾斜させた構成と、第２取っ手２５はタンク１１の油量を確認する油量窓１２のある面に配設する構成を同時に説明したが、これは個別にしてもよく、第２取っ手３３の中心をタンク３１の重心より第１取っ手３２より遠ざけて位置させた構成と、第２取っ手を傾斜させた構成を同時に説明したが、これは個別にしてもよく、本発明の目的・効果を達成するものであれば実施例の構成に限られることなくどのように構成してもよいものである。
【００７６】
【発明の効果】
以上のように本発明の石油燃焼暖房機によれば、タンク収納部に上面と側面または背面または前面の何れか２面以上に開放部を有する構成としてあるので、油受け皿にタンクを装着するとき、タンクを略水平方向から装着できるようになり、タンクを持ち上げずに容易に着脱可能となり、使い勝手が向上する。
【図面の簡単な説明】
【図１】本発明の実施例１のタンクの機器への着脱状態を示す斜視図
【図２】同タンクの構成図
【図３】同タンクの給油キャップの要部断面図
【図４】同タンクの機器への設置状態を示す要部断面図
【図５】同タンクの持ち運び時の形態を示す図
（ａ）水平状態を示す図
（ｂ）給油口方向への傾斜状態を示す図
（ｃ）第１取っ手方向への傾斜状態を示す図
【図６】同タンクの給油時の形態を示す図
【図７】本発明の実施例２のタンクの構成図
【図８】本発明の実施例３の機器への設置状態を示す要部断面図
【図９】本発明の実施例４の機器への設置状態を示す要部断面図
【図１０】従来のタンクの構成図
【図１１】同タンクの機器への設置状態を示す要部断面図
【図１２】同タンクの持ち運び時の形態を示す図
【符号の説明】
１１  タンク
１２  油量窓
１３  給油口
２１  油受け皿
２４  第１取っ手
２５  第２取っ手
２６  仕切板
２７  タンク収納部
２８  開放部
【図１】
2004286341.tif 000003
【図２】
2004286341.tif 000004
【図３】
2004286341.tif 000005
【図４】
2004286341.tif 000006
【図５】
2004286341.tif 000007
【図６】
2004286341.tif 000008
【図７】
2004286341.tif 000009
【図８】
2004286341.tif 000010
【図９】
2004286341.tif 000011
【図１０】
2004286341.tif 000012
【図１１】
2004286341.tif 000013
【図１２】
2004286341.tif 000014